(57)【要約】  【課題】  診断リストから実施される診断の予約が選択されると、その診断に対応する担当操作者の操作環境を設定する超音波診断システムを提供する。  【解決手段】  超音波を送受信し超音波画像を生成する超音波診断装置１と、診断の予約を行い、診断リストを作成する診断リスト作成装置２と、過去の被検体の診断条件を記憶する被検体診断情報記憶装置３と、担当操作者の操作環境を記憶する操作者個人情報記憶装置４とを備え、診断リストからこれから実施される診断の予約が選択されると、被検体に合わせた診断条件を設定し、対応する操作者に合わせた操作環境を設定する。【選択図】  図１
2006288499.tif 000002
【特許請求の範囲】
【請求項１】
診断の予約が記録された診断リストを作成する診断リスト作成装置と、
超音波を送受信し得られたエコー信号から超音波画像を生成する超音波診断装置と、
前記超音波診断装置と前記診断リスト作成装置を接続する通信手段とを備えた超音波診断システムにおいて、
過去に診断した診断情報を記憶する被検体診断情報記憶装置と、
前記超音波診断装置と前記被検体診断情報記憶装置を接続する通信手段と、
前記超音波診断装置の操作環境を担当操作者個人情報として記憶する操作者個人情報記憶装置と、
前記超音波診断装置と操作者個人情報記憶装置を接続する通信手段とを有し、
前記診断リストには、前記超音波診断装置を操作する操作者の識別情報が記録され、
前記超音波診断装置は、送信された前記診断リストに記録された診断の予約が選択されると、選択された予約に記録された操作者の識別情報に対応した担当操作者個人情報を前記操作者個人情報記憶装置から読み出して操作環境を設定し、前記診断の予約に記録された被検体の被検体診断情報を前記被検体診断情報記憶装置から読み出して診断条件を設定することを特徴とする超音波診断システム。
【請求項２】
前記超音波診断装置は、前記診断リスト作成装置、前記被検体診断情報記憶装置および前記操作者個人情報記憶装置の少なくとも１つを前記超音波診断装置内部に含む請求項１記載の超音波診断システム。
【請求項３】
前記診断リスト作成装置は、前記被検体診断情報記憶装置または前記操作者個人情報記憶装置の少なくとも１つを前記診断リスト作成装置内部に含む請求項１記載の超音波診断システム。
【請求項４】
前記被検体診断情報記憶装置は、その機能が前記超音波診断装置および前記診断リスト作成装置に分かれて配置された請求項１記載の超音波診断システム。
【請求項５】
前記操作者個人情報記憶装置は、その機能が前記超音波診断装置および前記診断リスト作成装置に分かれて配置された請求項１または４記載の超音波診断システム。
【請求項６】
前記被検体診断情報記憶装置および前記操作者個人情報記憶装置が同一の筐体に収められた請求項１記載の超音波診断システム。
【発明の詳細な説明】
【技術分野】
【０００１】
本発明は、超音波を送受信する超音波診断システムの設定、特に操作環境の設定に関する。
【背景技術】
【０００２】
従来の超音波診断システムには、診断の予約がされている診断リストから診断対象の被検体の診断情報（例えば、診断条件、過去の診断画像）を読み出す手段を備えているものがある（例えば、特許文献１参照）。
【０００３】
図５は、従来の診断の予約がされている診断リストから被検体の診断情報を読み出す手段を備えた超音波診断システムの一構成を示す超音波診断システムのブロック図である。この超音波診断システムは、超音波診断装置１２０とワークステーションにより構成される端末１３０とを有している。
【０００４】
送信部１０１は、探触子１０３に超音波送出用パルスを送信する。探触子１０３は、超音波送出用パルスに基づき超音波を送出し、反射した超音波を受信する。送受分離部１０２は送信信号と受信信号を分離するための信号制御を行う。受信部１０４は、探触子１０３で受信した信号を受け取る。信号処理部１０５は、受信部１０４からの受信信号を画像データに変換する。ＤＳＣ部１０６は、信号処理部１０５から出力された画像データを表示部１０７に表示可能なデータに走査変換する。表示部１０７は、走査変換された画像データを画像として表示する。キーボード１０８は、操作者が超音波診断装置１２０に指令又はデータを入力するためのものである。
【０００５】
制御部１０９は、超音波診断装置１２０全体の制御を行う。被検体情報記憶回路１１０および記憶部１１１は、被検体の過去の診断モード、診断条件あるいは診断画像を検索可能となるように被検体ＩＤと関連づけて保存する。ソフトウェア制御部１１３は、端末１３０において作成された診断リストを表示部１０７に表示するためにソフトウェア制御を行う。カウンタ部１１４は、各被検体の診断に要した時間を計測する。通信部１１５は、端末１３０と通信を行う。端末１３０は、診断の予約が記録され、診断の予約リスト（診断リスト）を作成し、超音波診断装置１２０へ送信する。
【０００６】
以上のような超音波診断装置の動作について簡単に説明する。端末１３０は、診断が予約されると、診断リストを作成し、超音波診断装置１２０へ送信する。診断リストから実施される診断の予約が選択されると制御部１０９は、記憶部１１１から過去の被検体データを読み出し、診断条件を設定する。診断条件を設定すると診断を開始し、探触子１０３で受信した受信信号を画像データに変換し、画像として表示部１０７に表示する。
【特許文献１】特開２００４−１９４７０５号公報
【発明の開示】
【発明が解決しようとする課題】
【０００７】
しかしながら、上記従来の超音波診断システムは、過去に被検体の診断を行った担当操作者の情報については、被検体の診断情報とは、別に読み出す必要があるという問題がある。
【０００８】
本発明は、従来の問題を解決するためのもので、診断リストから実施される診断の予約が選択されると、その診断に対応する担当操作者の操作環境を設定する超音波診断システムを提供することを目的とする。
【課題を解決するための手段】
【０００９】
本発明の超音波診断システムは、診断の予約が記録された診断リストを作成する診断リスト作成装置と、超音波を送受信し得られたエコー信号から超音波画像を生成する超音波診断装置と、前記超音波診断装置と前記診断リスト作成装置を接続する通信手段とを備える。上記目的達成するために、過去に診断した診断情報を記憶する被検体診断情報記憶装置と、前記超音波診断装置と前記被検体診断情報記憶装置を接続する通信手段と、前記超音波診断装置の操作環境を担当操作者個人情報として記憶する操作者個人情報記憶装置と、前記超音波診断装置と操作者個人情報記憶装置を接続する通信手段とを有し、前記診断リストには、前記超音波診断装置を操作する操作者の識別情報が記録され、前記超音波診断装置は、送信された前記診断リストに記録された診断の予約が選択されると、選択された予約に記録された操作者の識別情報に対応した担当操作者個人情報を前記操作者個人情報記憶装置から読み出して操作環境を設定し、前記診断の予約に記録された被検体の被検体診断情報を前記被検体診断情報記憶装置から読み出して診断条件を設定することを特徴とする。この構成により、診断する際に、超音波診断装置のインターフェースを診断リストに表記された操作者の操作環境に設定することができる。
【００１０】
また、超音波診断装置は、診断リスト作成装置、被検体診断情報記憶装置および操作者個人情報記憶装置の少なくとも１つを超音波診断装置内部に含む構成にしても良い。この構成により、超音波診断システムを小型にすることができる。
【００１１】
また、診断リスト作成装置は、被検体診断情報記憶装置または操作者個人情報記憶装置の少なくとも１つを診断リスト作成装置内部に含む構成にしても良い。
【００１２】
また、被検体診断情報記憶装置は、その機能が超音波診断装置および診断リスト作成装置に分かれて配置された構成にしても良い。
【００１３】
また、操作者個人情報記憶装置は、その機能が超音波診断装置および診断リスト作成装置に分かれて配置された構成にしても良い。
【００１４】
また、被検体診断情報記憶装置および操作者個人情報記憶装置が同一の筐体に収められた構成しても良い。
【発明の効果】
【００１５】
本発明によれば、診断リストから実施される診断の予約が選択されると、その診断に対応する担当操作者の操作環境を設定する超音波診断システムを提供することができる。
【発明を実施するための最良の形態】
【００１６】
以下、本発明の超音波診断システムにおける実施の形態について、図面を参照しながら説明する。
【００１７】
まず、本実施の形態における超音波診断システムの構成について説明する。図１は、本実施の形態に係る超音波診断システムの一構成例を示すブロック図である。この超音波診断システムは、超音波診断装置１と、診断リスト作成装置２と、被検体診断情報記憶装置３と、操作者個人情報記憶装置４を有している。
【００１８】
探触子５は、被検体に超音波を送信し、そのエコー信号を受信し、電気信号に変換する。送受信部６は、探触子１を駆動させ、探触子１において受信した電気信号に変換されたエコー信号に対して増幅、検波などの信号処理を行う。デジタルスキャンコンバータ（ＤＳＣ）７は、信号処理されたエコー信号を画像データに変換し、表示部８において表示可能なように走査変換を行う。表示部８は、ＤＳＣ７において変換された画像データを画像として表示する。制御部９は、装置全体の制御を行う。記憶部１０は、ＤＳＣ７において変換された画像データを保存する。通信部１１（通信手段）は、診断リスト作成装置２と、被検体診断情報記憶装置３と、操作者個人情報記憶装置４との通信制御を行う。
【００１９】
診断リスト作成装置２は、操作者が診断の予約を行うことにより、診断リストを作成し、診断リストを超音波診断装置１へ送信する。被検体診断情報記憶装置３は、予約されている被検体についての情報例えば、診断モード、診断条件、診断画像を含む過去の診断情報（被検体情報）を記憶する。操作者個人情報記憶装置４は、操作者固有の個人情報として、超音波診断装置１の日時の表示方法、言語設定表示卓のボタン割り当てなど診断画面の操作環境データ（担当操作者個人情報）を記憶する。
【００２０】
なお、図１において図示を省略しているが、超音波診断装置１は、操作者が超音波診断システムを制御するための操作卓またはキーボード、あるいは操作卓およびキーボードあるいは、マウスやトラックボールなどの入力装置を有する。
【００２１】
図２は、本実施の形態に係る超音波診断システムの診断リストの一例である。診断リスト２１には、例えば被検体ＩＤ、被検体名、性別、生年月日、診断部位名、担当操作者名が表記されている。操作者は、診断リスト２１からカーソル２２などを用いて、これから実施する診断の予約を選択する。
【００２２】
図３は、本実施の形態における図２の被検体ＩＤが‘３３３’である診断の予約が選択された際の超音波診断システムの診断画面の一例である。診断画面は、被検体の断層画像を表示することができる。さらに、被検体ＩＤ、被検体名、診断モード、診断条件、操作環境などを表示でき、これらを設定することができる。選択された診断の予約の担当操作者名‘ａｓｄｆ’に基づき操作環境‘ｊｋｌ’が設定される。また、被検体ＩＤ‘３３３’および診断部位名‘ｘｘｘ’に基づき診断モード‘ｇｈｉ’および診断条件‘ｍｎｏ’が設定される。
【００２３】
次に、超音波診断システムの動作について、図４を参照しながら説明する。図４は、本実施の形態に係る超音波診断システムの動作についての流れ図である。
【００２４】
診断リスト作成装置２は、診断の予約が行われると診断リストを作成する（ステップＳ１０１）。診断リストには、被検体ＩＤ、被検体名および、診断する際の超音波診断システムの担当操作者の識別情報として担当操作者名を記入する欄が設けられており、診断の予約の際に、診断リストに診断の担当操作者名および被検体名が登録される。なお、担当操作者の識別情報としては、担当操作者名の他にＩＤ等他人と区別がつく情報であればよい。診断リストが作成されると、診断リスト作成装置２は、診断リストを超音波診断装置１へ送信する。次に、診断リストを表示部８に表示する（ステップＳ１０２）。操作者によりこれから実施される診断の予約が表示された診断リストから選択される（ステップＳ１０３）。選択された診断の予約の被検体ＩＤなどに基づいて、超音波診断装置１は、被検体情報が保存されているか否かを被検体診断情報記憶装置３に問い合わす。被検体情報があれば、被検体診断情報記憶装置３は該当する被検体情報を超音波診断装置１へ送信し、なければ、被検体情報がないことを通知する。超音波診断装置１は被検体情報の有無により、被検体が初診であるか否かを判断する（ステップＳ１０４）。
【００２５】
被検体が初診である場合には、超音波診断装置１は担当操作者個人情報が保存されているか否かを操作者個人情報記憶装置４に問い合わす。該当する担当操作者の操作者個人情報が有れば、操作者個人情報記憶装置４はその情報を超音波診断装置１へ送信し、なければ、操作者個人情報がないことを通知する。超音波診断装置１は操作者個人情報の有無により、担当操作者の登録の有無を判断する（ステップＳ１０５）。担当操作者が操作者個人情報記憶装置４に登録されている場合、該当する担当操作者の担当操作者個人情報を読込む（ステップＳ１０６）。制御部９は、読込んだ担当操作者個人情報に基づいて操作環境の設定を行う（ステップＳ１０７）。制御部９は、表示部８の表示を診断リストから、設定された担当操作者個人情報に基づいた操作環境の診断画面へ切り替える（ステップＳ１０８）。診断画面の表示に切り替えられると、操作者により、診断画面上で診断条件の設定が行われる（ステップＳ１１１）。
【００２６】
その後、超音波診断装置１は診断を開始する（ステップＳ１１２）。診断が開始されると制御部９は、送受信部６に超音波を発生させるための信号の形成を指令する。送受信部６は超音波発生信号を形成し、探触子５へ送る。探触子５は超音波発生信号により超音波を発生させ、被検体に送信する。探触子５は被検体から反射したエコー信号を受信し、電気信号に変換する。変換された電気信号を送受信部６は、画像データに変換し、ＤＳＣ７へ送る。ＤＳＣ７は、表示部８に表示可能となるように画像データの走査変換を行う。表示部８は変換された画像データを画像として表示する。また、制御部９は得られた画像データを記憶部１０に保存する。
【００２７】
ステップＳ１０５において、該当する担当操作者個人情報が無ければ、制御部９は、表示部８の表示を診断リストから診断画面へ切り替える（ステップＳ１０９）。操作者による操作卓などの入力装置からの操作環境設定情報の入力に基づき操作環境が設定される（ステップＳ１１０）。その後、超音波診断装置１は操作者により診断条件の設定が行われ（ステップＳ１１１）、診断を開始する（ステップＳ１１２）。
【００２８】
ステップＳ１０４において、初診でない場合には、制御部９は該当する被検体の診断情報を読込む（ステップＳ１１３）。制御部９は、読込んだ被検体情報に基づいて診断条件の設定を行う（ステップＳ１１４）。次に、診断の担当操作者が操作者個人情報記憶装置４に登録されているか否かを判断する（ステップＳ１１５）。担当操作者の登録の有無を判断する方法は、ステップＳ１０５と同様である。
【００２９】
担当操作者が登録されている場合には、制御部９は、該当する担当操作者個人情報を読込む（ステップＳ１１６）。制御部９は、読込んだ担当操作者個人情報に基づいて操作環境の設定を行う（ステップＳ１１７）。次に、制御部９は表示部８を診断リストの表示から、設定された担当操作者個人情報に基づいた操作環境の診断画面の表示へ切り替える（ステップＳ１１８）。その後、超音波診断装置１は診断を開始する（ステップＳ１１２）。
【００３０】
担当操作者が登録されていない場合には、制御部９は、表示部８を診断リストの表示から診断画面の表示へ切り替える（ステップＳ１１９）。次に、操作者による操作卓などの入力装置からの操作環境設定情報の入力に基づき操作環境を設定する（ステップＳ１２０）。その後、超音波診断装置１は診断を開始する（ステップＳ１１２）。
【００３１】
診断終了時に診断画像データが被検体診断情報記憶装置３に保存され、操作環境が操作者個人情報記憶装置４に保存される。
【００３２】
以上のような構成により、本発明の超音波診断システムは、診断リストから、これから実施される診断の予約を選択するだけで、超音波診断装置１を担当操作者の操作環境に設定することができる。
【００３３】
なお、超音波診断装置１は、診断リスト作成装置２、被検体診断情報記憶装置３および操作者個人情報記憶装置４の少なくとも１つを超音波診断装置内部に含む構成にしても良い。また、診断リスト作成装置２は、被検体診断情報記憶装置３または操作者個人情報記憶装置４の少なくとも１つを診断リスト作成装置内部に含む構成にしても良い。
【００３４】
また、被検体診断情報記憶装置３は、その機能が超音波診断装置１および診断リスト作成装置２に分かれて配置された構成にしても良い。また、操作者個人情報記憶装置４は、その機能が超音波診断装置１および診断リスト作成装置２に分かれて配置された構成にしても良い。あるいは、被検体診断情報記憶装置３および操作者個人情報記憶装置４が同一の装置を構成にしても良い。
【００３５】
なお、本発明の実施の形態に係る超音波診断装置は、あくまで一例であり、本発明はこの例にのみ限定されるわけではない。
【産業上の利用可能性】
【００３６】
本発明は、操作者を設定することにより、操作者の使用しやすい操作環境に設定されるという利点を有する超音波診断システムとして、医療分野、特に超音波診断において有用である。
【図面の簡単な説明】
【００３７】
【図１】本発明の実施の形態に係る超音波診断システムの構成を示すブロック図
【図２】同超音波診断システムの診断リスト
【図３】同超音波診断システムの診断画面を示す図
【図４】同超音波診断システムの動作を示す流れ図
【図５】従来の超音波診断システムの構成を示すブロック図
【符号の説明】
【００３８】
１  超音波診断装置
２  診断リスト作成装置
３  被検体診断情報記憶装置
４  操作者個人情報記憶装置
５  探触子
６  送受信部
７  デジタルスキャンコンバータ（ＤＳＣ）
８  表示部
９  制御部
１０  記憶部
１１  通信部
【図１】
2006288499.tif 000003
【図２】
2006288499.tif 000004
【図３】
2006288499.tif 000005
【図４】
2006288499.tif 000006
【図５】
2006288499.tif 000007